(57)【要約】【課題】  高齢や病気又は遠隔のため本人が直接墓碑に仏花を供えることができなくても、インターネット注文及び宅配便サービスにより全国各地の墓碑に好みの仏花を供えることができると共に、注文した仏花がどのような状態で供えられているかどうかを知ることによる安心感と先祖の供養を行ったという実感を確実に得ることができる、仏花配送供養システムを得る。【解決手段】  インターネット上のホームページ等にて仏花の受注業務を行なう受注手段と、該受注した仏花を指定された墓碑まで配送して当該墓碑に供える配送供養手段と、該仏花が供えられた墓碑のカメラ撮影及び当該墓碑の所有者に電子メールにて画像配信を行うメール配信手段を備えて構成する。仏花が生花の場合、該生花の茎をナノバブルを含ませたスポンジに刺した専用の輸送容器にて配送する。【選択図】        図１
2007004760.tif 000002
【特許請求の範囲】
【請求項１】
インターネット上のホームページ等にて仏花の受注業務を行なう受注手段と、該受注した仏花を指定された墓碑まで配送して当該墓碑に供える配送供養手段と、該仏花が供えられた墓碑のカメラ撮影及び当該墓碑の所有者に電子メールにて画像配信を行うメール配信手段を備えて構成することを特徴とした、仏花配送供養システム。
【請求項２】
仏花が生花の場合、該生花の茎をナノバブルを含ませたスポンジに刺した専用の輸送容器にて配送することを特徴とした、請求項１に記載の仏花配送供養システム。
【発明の詳細な説明】
【技術分野】
【０００１】  本発明は、高齢や病気又は遠隔のため本人が直接墓碑に仏花を供えることができなくても、インターネット注文及び宅配便サービスにより全国各地の墓碑に好みの仏花を供えて先祖の供養が行うことができる、仏花配送供養システムに関するものである。
【背景技術】
【０００２】  殆どの日本人の家庭において、先祖を供養するための宗教として仏教が浸透している。そのため、各家庭では故人の命日やお彼岸等において菩提寺にある墓碑に香花や菊等の仏花及び線香等を供えて先祖の供養を行っている。【０００３】  地方に住む人にとって各家の菩提寺は比較的近い場所にあるが、都会に住む人にとっては実家のある地方に菩提寺があったり、郊外の霊園に墓碑があることが多い。そのため、これからの高齢化社会において、高齢者や病人が菩提寺に行って墓碑に仏花を供えたり、遠隔地にある菩提寺や霊園に行って墓碑に仏花を供えることが困難になることが予想される。【０００４】  このため、特開２００２−１９７２１０号公報の「リゾート霊園」においては、インターネット上に仮想のリゾート霊園を造ると共に、過疎地にも実際の霊園を造り、高齢や病気又は遠隔のため直接墓参に行くことができない利用者は、インターネット上で墓参計画をシミュレーションし、花，水，線香，ロウソク，供物等の指示を画面上で行い、実際の霊園においては管理事務所が代行して指示されたプランを実施するシステムが記載され、特開２００２−００７５９６号公報の「葬儀の受付方法」では墓参ではないが葬儀において、ホームページ上で献花や香典の指示を行い、献花においては地元の生花店が生花を斎場に届けるシステムが記載されている。【０００５】
【特許文献１】特開２００２−１９７２１０
【特許文献２】特開２００２−００７５９６
【発明の開示】
【発明が解決しようとする課題】
【０００６】  しかしながら、上記特開２００２−１９７２１０号公報における墓碑に仏花を供える手段として、インターネット上で仏花を注文すると現地の管理事務所が代行して墓碑に仏花を供えるだけものであり、自分の注文した仏花が確実に墓碑に供えられたかどうかを確認することができなかった。従って、利用者は単に仏花の代金を支払ったという金銭的な感覚しか残らず、供養をしたという実感が得られないという問題点があった。特に生花を注文した場合には、注文通りの花が活き活きとした状態で供えられているかどうかは非常に気になるところであるが、これらの点も確認することができないという問題点があった。【０００７】  本発明は、上記のような問題点を解決するために成されたものであり、高齢や病気又は遠隔のため本人が直接墓碑に仏花を供えることができなくても、インターネット注文及び宅配便サービスにより全国各地の墓碑に好みの仏花（造花又は生花）を供えることができると共に、注文した仏花がどのような状態で供えられているかどうかを知ることによる安心感と先祖の供養を行ったという実感を確実に得ることができる、仏花配送供養システムを提供することを目的とする。
【課題を解決するための手段】
【０００８】  上記課題を解決するため、本発明の仏花配送供養システムにおいては、インターネット上のホームページ等にて仏花の受注業務を行なう受注手段と、該受注した仏花を指定された墓碑まで配送して当該墓碑に供える配送供養手段と、該仏花が供えられた墓碑のカメラ撮影及び当該墓碑の所有者に電子メールにて画像配信を行うメール配信手段を備えて構成する。【０００９】  仏花が生花の場合、該生花の茎をナノバブルを含ませたスポンジに刺した専用の輸送容器にて配送する。なお、該ナノバブルとは直径が１μｍ以下の超微細な気泡を含んだ水であり、生物に対する活性効果が非常に高いものである。
【発明の効果】
【００１０】  本発明の仏花配送供養システムによれば、高齢や病気又は遠隔のため本人が直接墓碑に仏花を供えることができなくても、インターネット注文及び宅配便サービスにより全国各地の墓碑に好みの仏花を供えることができると共に、注文した仏花がどのような状態で供えられているかどうかを知ることによる安心感と先祖の供養を行ったという実感を確実に得ることができるという絶大なる効果を奏することができる。また、仏花が生花の場合、該生花の茎をナノバブルを含ませたスポンジに刺した専用の輸送容器にて配送することにより、長期間に渡り生花が活き活きするため、遠隔地まで配送することができるという効果も奏する。
【発明を実施するための最良の形態】
【００１１】  本発明を実施するための最良の形態を、図１の本発明の仏花配送供養システムのシステム構成図に基づいて説明する。【００１２】  まず、受注手段として、本システムの運営会社５はインターネット４上に仏花配送供養システムのホームページを開設し、システム概要と単品の仏花の写真・価格及びアレンジした仏花の写真・価格等と注文フォーム等を掲載し、利用者宅１のパソコン２や利用者が所持する携帯電話３のインターネット閲覧によるオンライン注文と一般の電話注文による受注業務を行なう。【００１３】  運営会社５内のサーバー６は上記オンライン受注の管理を行い、上記一般の電話受注と併せて造花問屋７に造花の注文を行い、必要な造花を入手しておく。また、生花の場合には、花卉市場８に生花の買付けを行い、必要な生花を入手しておく。そして、注文に応じた造花又は生花のアレンジを作る。図２は本発明の仏花配送供養システムにおける生花の輸送容器断面図であり、遠隔の菩提寺や霊園の墓碑に仏花を供える場合、通常の輸送形態だと数日しか持たない生花でも専用の輸送容器１５内にナノバブルを含ませたスポンジ１６を入れ、該スポンジ１６に生花の仏花１３の茎１７を刺して輸送することにより、１週間以上も活き活きさせることが可能となる。なお、現時点においてはナノバブルが輸送に最適な水であるが、同等以上の効果の得られる水が開発された場合には、それらも本発明の範疇に含むものとする。【００１４】  また、配送供養手段として、本システムの運営会社５と契約した宅配業者９に集荷依頼を行い、宅配便運転手は宅配トラック１０にて全国各地の墓地１１内の指定された墓碑１２まで配送し、更に配送商品である仏花１３を当該墓碑１２に供える。【００１５】  また、メール配信手段として、宅配便運転手は自分が所持する携帯電話１４に内蔵のカメラ又はデジタルカメラにて当該仏花１３が供えられた墓碑１２を撮影し、前者携帯電話１４に内蔵のカメラで撮影した場合は当該携帯電話１４の電子メール機能にて運営会社５に電子メール送信を行い、後者デジタルカメラで撮影した場合は携帯情報端末（ＰＤＡ）等の電子メール機能にて運営会社５に電子メール送信を行う。運営会社５は全国各地から送られる前記電子メールの画像データの管理を行うと共に、当該墓碑１２の所有者に電子メールにてお礼メッセージ及び墓碑写真の画像配信を行う。【００１６】  なお、一般の宅配業者は商品の配送までしか行わないが、本システムにおける宅配業者９は、運営会社５との特別契約により配送商品である仏花１３を指定された墓碑１２に供え、更に該状況をカメラ撮影するところまで行うことを契約範囲として実施する宅配業者９とする。
【実施例】
【００１７】  本発明の実施例を、図１及び図４の本発明の仏花配送供養システムの概略フローチャートに基づいて説明する。【００１８】  まず、運営会社５はインターネット４上に仏花配送供養システムのホームページを開設する。該ホームページには、仏花配送供養システムのシステム概要と単品の仏花の写真・価格及びアレンジした仏花の写真・価格等と注文フォーム等を掲載する。なお、仏花１３は造花及び生花の何れの注文にも対応可能とする。また、利用者は利用者宅１のパソコン２や利用者が所持する携帯電話３のインターネット閲覧により前記仏花配送供養システムのホームページを開き、希望する仏花１３を、指定した墓地１１にある墓碑１２に供える旨のオンライン注文を行い、又は一般の電話注文を行うことにより、運営会社５は前記オンライン注文又は電話注文による仏花１３の配送受注を受ける。（ステップ１）【００１９】  次に、運営会社５はサーバー６の管理データベースにて上記オンライン受注の管理を行い、上記一般の電話受注と併せて造花問屋７に造花の注文を行い、必要な造花を入手しておく。また、生花の場合には、花卉市場８に生花の買付けを行い、必要な生花を入手しておく。（ステップ２）【００２０】  次に、上記注文に応じた造花又は生花のアレンジを作り梱包を行う。なお、遠隔の墓地１１に生花の仏花１３を供える場合、図２に示すような専用の輸送容器１５内にナノバブルを含ませたスポンジ１６を入れ、該スポンジ１６に生花の仏花１３の茎１７を刺して輸送すると、１週間以上も活き活きさせることが可能となる。（ステップＳ３）【００２１】  次に、運営会社５は電子メール又は電話にて宅配業者９に集荷及び配送依頼を行う。（ステップＳ４）【００２２】  次に、宅配業者９は運営会社５に行き、仏花１３の集荷を行う。その後、宅配業者９は宅配トラック１０にて指定された墓地１１に向けて配送を行う。（ステップＳ５）【００２３】  次に、宅配業者９の宅配便運転手は指定された墓地１１内にある多くの墓碑１２より指定された墓碑１２を探し出し、当該墓碑１２に配送商品である仏花１３を供える。（ステップＳ６）【００２４】  更に、宅配便運転手は自分が所持する携帯電話１４に内蔵のカメラ又はデジタルカメラにて当該仏花１３が供えられた墓碑１２を撮影し、前者携帯電話１４に内蔵のカメラで撮影した場合は当該携帯電話１４の電子メール機能にて運営会社５に電子メール送信を行い、後者デジタルカメラで撮影した場合は携帯情報端末（ＰＤＡ）等の電子メール機能にて運営会社５に電子メール送信を行う。（ステップＳ７）【００２５】  次に、運営会社５は全国各地から送られる上記電子メールの画像データの管理を行うと共に、当該墓碑１２の所有者に電子メールにてお礼メッセージ及び墓碑写真の配信完了メールの配信を行う。（ステップＳ８）【００２６】  図３は本発明の仏花配送供養システムにおける配送完了メール例であり、利用者宅１のパソコン２のモニタに表示された電子メール画面１８において、
「○○○○様
ご注文ありがとうございました。
添付写真のように、ご注文の仏花を○○月○○日○○時に、貴家の墓碑にお供えいたしました。」
というようなお礼メッセージ１９と、実際に墓地１１で撮影した墓碑写真２０を添付する。なお、利用者が所持する携帯電話３に対して配信完了メールの配信を行う場合も同様となる。【００２７】  最後に、運営会社５のサーバー６の管理データベースに当該利用者の配送注文の完了事項を記録して、処理を完了させる。（ステップＳ９）【００２８】  以上のようなシステムにより、高齢や病気又は遠隔のため本人が直接墓碑１２に仏花１３を供えることができなくても、インターネット注文及び宅配便サービスにより全国各地の墓碑１２に好みの仏花１３を供えることができると共に、注文した仏花１３がどのような状態で供えられているかどうかをパソコン２や携帯電話３のメール配信により知ることができるため、安心感と先祖の供養を行ったという実感を確実に得ることができる。
【産業上の利用可能性】
【００２９】  上記説明においては、高齢や病気又は遠隔のため直接墓参に行くことができない利用者のための仏花配送供養システムについて述べたが、葬儀の場合にも高齢や病気又は遠隔のため直接斎場に行くことができない利用者のための献花配送供養システムとして同様に利用できるものである。また、誕生日や記念日等における贈答用花束の配送システムとしても利用できるものである。
【図面の簡単な説明】
【００３０】
【図１】本発明の仏花配送供養システムのシステム構成図である。
【図２】本発明の仏花配送供養システムにおける生花の輸送容器断面図である。
【図３】本発明の仏花配送供養システムにおける配送完了メール例である。
【図４】本発明の仏花配送供養システムの概略フローチャートである。
【符号の説明】
【００３１】１  利用者宅
２  パソコン
３  携帯電話
４  インターネット
５  運営会社
６  サーバー
７  造花問屋
８  花卉市場
９  宅配業者
１０  宅配トラック
１１  墓地
１２  墓碑
１３  仏花
１４  携帯電話
１５  輸送容器
１６  スポンジ
１７  茎
１８  電子メール画面
１９  お礼メッセージ
２０  墓碑写真
【図１】
2007004760.tif 000003
【図２】
2007004760.tif 000004
【図３】
2007004760.tif 000005
【図４】
2007004760.tif 000006